(57)【要約】  【課題】  端子台本体形状の小型化を図って省スペース化し、高機能化の制御盤等への実装を容易にするとともに、端子台本体への配線作業をも容易に、しかも実装後の保守点検も容易にできる。  【解決手段】  端子台本体を構成するベース１１は省スペース形状に構成される。ベース１１には、外部配線用のアンプ端子１２と内部配線用アンプ端子１６が設置され、内部配線用アンプ端子１６は通常使用されるアンプ端子の頭部と両側部を切断して、ほぼホームベース形状に構成される。内部配線用アンプ端子１６は、ベース１１の隔壁１３に対向して形成されたコ字形状の差込溝１７，１７にスライドさせながら差し込まれる。差込溝１７，１７の途中には、アンプ端子ストッパ１８，１８を突出して設け、このストッパ１８，１８によりアンプ端子１６を定位置まで差し込むと簡単に抜けないように仮固定される。  【選択図】  図３
2007012400.tif 000002
【特許請求の範囲】
【請求項１】
隔壁で隔てた複数の部位を一列に配列し、これら各部位に内部配線用アンプ端子と外部配線用アンプ端子を同一直線上に配置するとともに両端子が電気的に接続状態となるように重ね合わせて形成した端子台本体と、
この端子台本体の内部配線側から外部配線側に向けて形成された内部配線用アンプ端子差込溝と、
この差込溝の途中に突出して設けられ、内部配線用アンプ端子を前記差込溝に差し込み、前記外部配線用アンプ端子と重ね合わせる部位に達したときに、内部配線用アンプ端子が抜けないようにしたストッパと、
を備えたことを特徴とする端子台。
【請求項２】
前記内部配線用アンプ端子は、差込溝に沿う部位が直線的な形状に形成されたことを特徴とする請求項１記載の端子台。
【発明の詳細な説明】
【技術分野】
【０００１】
本発明は、制御盤、制御卓の外部から入る信号線や電源線がつなぎ込まれる端子台に関するものである。
【背景技術】
【０００２】
一般に制御盤、制御卓の外部から入る信号線や電源線などの配線がつなぎ込まれる端子台は、片側に内部配線用の配線を行い、反対側に外部からの配線をつなぎ込んでいる。
【０００３】
上述した端子台は、図５ａ〜ｃに示す如く構成されている。図５ａ〜ｃに示すように、５１は絶縁部材から構成されるベースで、このベース５１には、仕切り壁５２を挟んで複数並設されたアンプ端子５３，５３が配設される。アンプ端子５３，５３は、長方形状の導体板からなる平板状の端子金具５４にネジ体５５を用いて電気的に接続されるとともに、ベース５１に螺着される。なお、仕切り壁５２の頭部には、配線記号を付した記号紙５６が設けられる。
【０００４】
前記アンプ端子５３，５３は、図５ｄ，ｅに示すように、いわゆる圧着端子から構成され、その圧着端子に穿設された孔５３ａにネジ体５５が挿通される。なお、隣り合うアンプ端子５３間には、絶縁壁５７が形成される。
【特許文献１】特開平０９−１６１８６８号公報
【特許文献２】特開平１０−０１２３０１号公報
【特許文献３】特開平１０−１６２８８７号公報
【発明の開示】
【発明が解決しようとする課題】
【０００５】
上述した端子台は、制御盤や制御卓に配置され、多数の信号線や電源線などがつなぎ込まれるが、近年、その盤や卓の高機能化に伴い、内部実装が密になるに伴い、盤や卓内部に充分な端子台への設置スペースが確保できなくなるとともに、端子台への配線作業が容易にできなくなる問題がある。
【０００６】
本発明は、上記の事情に鑑みてなされたもので、端子台本体の形状を小型化して、制御盤や制御卓内部への実装を可能とし、しかも端子台本体への配線作業を容易にした端子台を提供することを課題とする。
【課題を解決するための手段】
【０００７】
上記の課題を達成するために、本発明の第１発明は、隔壁で隔てた複数の部位を、縦若しくは横方向に一列配列し、これら各部位に内部配線用アンプ端子と外部配線用アンプ端子を同一直線上に配置するとともに両端子が電気的に接続状態となるように重ね合わせて形成した端子台本体と、この端子台本体の内部配線側から外部配線側に向けて形成された内部配線用アンプ端子差込溝と、この差込溝の途中に突出して設けられ、内部配線用アンプ端子を前記差込溝に差し込み、前記外部配線用アンプ端子と重ね合わせる部位に達したときに、内部配線用アンプ端子が抜けないようにしたストッパとを備えたことを特徴とするものである。
【０００８】
また、第２発明は、内部配線用アンプ端子が、差込溝に沿う部位を直線的な形状に形成したことを特徴とするものである。
【発明の効果】
【０００９】
以上述べたように、本発明によれば、端子台本体形状の小型化を図って省スペース化し、高機能化の制御盤や制御卓内への実装を容易にするとともに、端子台本体への配線作業をも容易に、しかも実装後の保守点検も容易にできるようにした。
【発明を実施するための最良の形態】
【００１０】
以下本発明の実施の形態を図面に基づいて説明する。図１ａ〜ｃは本発明の実施の形態を示す平面図、側面図およびＢ−Ｂ線矢視図で、図１ａ〜ｃにおいて、１１は端子台本体を構成するベースである。このベース１１は、幅が従来の端子台本体を構成するベースのほぼ半分位の省スペース形状に構成される。
【００１１】
ベース１１は、図１ａの図示左側から内部配線がつなぎ込まれ、同一直線上の図示右側から外部配線がつなぎ込まれる。内部配線がつなぎ込まれるベース１１には、後述する形状のアンプ端子をスライドさせて差し込むための差込溝（後述する）が設けられる。
【００１２】
なお、外部配線用のアンプ端子１２は従来の形状のものを使用する。１３は各端子間を電気的に絶縁する隔壁、１４は配線記号を付した記号紙、１５は外部配線用アンプ端子１２と内部配線用端子を螺着するネジ体である。
【００１３】
図２は内部配線用アンプ端子の形状を示す正面図および平面図で、この内部配線用アンプ端子１６は通常使用されるアンプ端子の頭部と両側部を直線となるように切断して、ほぼホームベース形状に構成する。
【００１４】
図２に示すように構成した内部配線用アンプ端子１６は、図１に示す隔壁１３で隔てられた複数の部位に配置される。なお、複数の部位は、ベース１１に縦若しくは横方向に一列に配列される。
【００１５】
上記のように隔壁1３間の部位に配置された内部配線用アンプ端子１６は、図３ａ〜ｃに示すように、ベース１１の隔壁１３に対向して形成されたコ字形状の差込溝１７，１７にスライドさせながら差し込まれる。コ字形状の差込溝１７，１７の途中には、アンプ端子ストッパ１８，１８を溝から内方に向け突出させて設け、このストッパ１８，１８によりアンプ端子１６を定位置まで差し込んだときに、簡単に抜けないようにアンプ端子１６は仮固定される。最終的には、内部配線用アンプ端子１６は、外部配線用アンプ端子１２とともに、ネジ体１５によりベース１１に螺着固定される。
【００１６】
図４ａ〜ｄは端子台本体を構成するベース１１に内部配線用アンプ端子１６と外部配線用アンプ端子１２を装着するときの説明図で、図４ａで、まず内部配線用アンプ端子１６を、ベース１１に設けられた差込溝１７，１７にスライドさせながら差し込む。
【００１７】
内部配線用アンプ端子１６が、差込溝１７，１７の定位置まで差し込まれると、内部配線用アンプ端子１６は、ストッパ１８，１８により容易に抜けなくなり、その位置に仮固定される（図４ｂ）。なお、図４ｂは図１ａのＣ−Ｃ線矢視図である。
【００１８】
次に、図４ｃ（図１ａのＤ−Ｄ線矢視図）に示すように、図示右側より外部配線用アンプ端子１２を前記内部配線用アンプ端子１６に重ね合わせて配置し、図４ｄに示すように、ネジ体１５により両端子１２，１６を螺着固定する。なお、図４ｄは図１ａのＥ−Ｅ線矢視図である。
【００１９】
上記のように構成された実施の形態の端子台は、省スペースのため盤等を作製する際、盤作製とともに盤内部に設置でき、従って、内部配線も端子台とともに一緒に組み立てることができるようになる。このため、盤作製時に、予め端子台に内部配線用アンプ端子１６を暫定的に仮固定することができるようになり、その後、外部配線用端子１２とともに、内部配線用アンプ端子１６をネジ体１５にて螺着固定することができる。
【００２０】
上記のように構成された省スペースの端子台は、内部実装が密になる制御盤などに実装することが可能になる。この際に、内部配線は盤などの作製時に一緒に組み立てるが、外部配線側は試験時、あるいは盤を設置場所に納めた後につなぎ込みを行うため、その間も内部配線側の配線は固定されていなければならない。このような要望を満たすために、この実施の形態では、内部配線を端子台に仮固定できるようにした。この仮固定により、内部配線を端子台に１本ずつネジ止めする必要がなくなるため、端子台への配線の作業効率が向上するようになる。
【図面の簡単な説明】
【００２１】
【図１】本発明の実施の形態を示す、（ａ）は平面図、（ｂ）は側面図、（ｃ）はＢ−Ｂ線矢視図。
【図２】内部配線用アンプ端子を示す、（ａ）は正面図、（ｂ）は平面図。
【図３】本発明の端子台を一部拡大した、（ａ）は平面図、（ｂ）は側面図、（ｃ）は側面図。
【図４】端子台への内部、外部配線用アンプ端子の結線要領を説明図。
【図５】従来の端子台とアンプ端子を示す、（ａ）は端子台の平面図、（ｂ）は端子台の側面図、（ｃ）は端子台のＡ−Ａ線矢視図、（ｄ）はアンプ端子の正面図、（ｅ）はアンプ端子の平面図。
【符号の説明】
【００２２】
１１…ベース
１２…外部配線用アンプ端子
１３…隔壁
１４…記号紙
１５…ネジ体
１６…内部配線用アンプ端子
１７，１７…差込溝
１８，１８…アンプ端子ストッパ
【図１】
2007012400.tif 000003
【図２】
2007012400.tif 000004
【図３】
2007012400.tif 000005
【図４】
2007012400.tif 000006
【図５】
2007012400.tif 000007